(57)【要約】      （修正有）【課題】芳香成分担持体を倒伏姿勢で装着することができるだけでなく、起立姿勢で装着することもできるようにして、芳香成分が芳香成分担持体の内部で偏って消費されにくくする睡眠環境を創り出す誘眠装置を提供する。【解決手段】音響再生手段と芳香拡散手段と発光手段とを備える。音響再生手段及び芳香拡散手段の両方が、上段室に設置したスピーカーユニット１１と、上段室の上壁に設けた通口とを有する。芳香拡散手段はさらに担持体装着部４０を有する。この担持体装着部４０の座板部４１の周囲に複数の通口が環状に配列される。発光手段は中段室に光源と、中段室の底壁及び周壁１２１に具備された透光領域１２６とを有する。【選択図】図２
0003219786.tif 000002
【実用新案登録請求の範囲】
【請求項１】
スピーカーユニットの振動板の振動に伴って生じる再生音を生じさせる音響再生手段と、上記振動板の振動に伴って生じる気流を利用して芳香成分担持体に含浸されている気流を空気中に拡散させる芳香拡散手段と、光源の発光によって生じる光を発する発光手段と、を備える誘眠装置であって、
内部空間が上段室と中段室と下段室とに３区画されてなる縦長中空ケースの上記上段室に上記スピーカーユニットが設置され、上記中段室に上記光源が設置され、かつ、上記下段室に、上記スピーカーユニットの駆動電力及び上記光源を発光させるための電力を供給するバッテリーの収納空間が具備され、
上記音響再生手段及び上記芳香拡散手段の両方が、上記上段室の上部に上向きに設置された上記スピーカーユニットと、当該上段室の上壁の複数箇所に設けられて上記スピーカーユニットの振動板の振動に伴って生じる上記再生音及び上記気流を上記縦長中空ケースの外部に放出する通口と、を有していることに加えて、さらに上記芳香拡散手段が、上記上段室の上壁に設けられて芳香成分を含浸させた平板状の芳香成分担持体を着脱可能な担持体装着部を有して、この担持体装着部に装着された上記芳香成分担持体に、上記通口を通して放出された上記気流が接触するように構成され、
上記発光手段が、上記中段室に設置された上記光源と、当該中段室の底壁及び周壁に具備されて上記光源の発光によって生じる光を透過させる透光領域と、を有していることを特徴とする誘眠装置。
【請求項２】
上記担持体装着部は、上記上壁に段付き状に設けられた座板部と、この座板部に設けられて上記芳香成分担持体に設けられた嵌合孔が着脱自在に嵌合可能な突部と、この突部に設けられて上記芳香成分担持体を起立姿勢で抜き差し可能な溝部と、を有し、複数の上記通口が、上記座板部の周囲で環状に配列されている請求項１に記載した誘眠装置。
【請求項３】
上記下段室によって形成された上記収納空間が、平板状の上記芳香成分担持体を内包した平坦な担持体包装体と上記バッテリーとを重なり状態で収容可能なサイズを有してなる請求項１又は請求項２に記載した誘眠装置。
【請求項４】
上記縦長中空ケースが、上記上段室及び上記中段室を備えたケース本体と、上記下段室を備えるバッテリーホルダー、とに分割されていて、このバッテリーホルダーに、上記ケース本体が段積み状に装着可能に構成されている請求項１ないし請求項３のいずれか１項に記載した誘眠装置。
【考案の詳細な説明】
【技術分野】
【０００１】
本考案は、誘眠装置、特に、音と光と芳香とを利用して室内の睡眠環境を創り出し、深く穏やかな眠りをベースに心と身体のリズムを整えることを意図した誘眠装置に関する。
【背景技術】
【０００２】
従来より、人にとっての良質な睡眠環境を整えることを意図してある種の芳香（アロマ）やスピーカによる再生音を利用することが行われている。
【０００３】
先行例として、超音波振動によって発生させた霧に香料成分を同伴させるようにしたアロマディフューザーが提案されている（たとえば、特許文献１参照）。また、他の先行例として、アロマディフューザーやメロディカードをプリザードフラワーといった装飾品と組み合わせて使用するようにしたヒーリングプリザードフラワーも提案されている（たとえば、特許文献２参照）。そのほか、アロマディフューザーのような芳香成分拡散装置には、芳香成分を自然拡散させるもの、芳香成分を加熱して拡散させる方法を利用したもの、なども知られている。
【０００４】
一方、芳香成分担持体に含浸させた芳香成分を、振動板の振動によって生じる気流を利用して室内などの空気中に拡散させることのできる芳香成分拡散装置も知られている（たとえば、特許文献３参照）。特許文献３に記載されているものは、ダイナミック型のスピーカーユニットの振動板の振動に伴って生じる粗密波、振動、脈動などを伴う気流を芳香成分担持体に衝突させることにより芳香成分を含む気流を周囲に拡散させて一定の芳香環境を創り出すことができる。また、スピーカーユニットの振動板の振動に伴って生じる再生音によって周囲に一定の音響環境を創り出すことができる。さらに、この芳香成分拡散装置では、光源の発光によって生じる光を利用して一定の光環境を創り出すことも可能である。
【先行技術文献】
【特許文献】
【０００５】
【特許文献１】特開２０１６−１５３１１７号公報
【特許文献２】特開２０１１−１０６０７８号公報
【特許文献３】実登３２１２４９３号公報
【考案の概要】
【考案が解決しようとする課題】
【０００６】
しかしながら、特許文献３によって提案した芳香成分拡散装置は、円筒形の縦長中空ケースの側部に、スピーカーユニットの駆動用電力を供給したり光源を発光させるための電力を供給するための縦長棒状のバッテリーのホルダー部を備えていたので、縦長中空ケースを縦置きしたときに、ホルダー部に収納した比較的重いバッテリーの重量によって設置安定性が損なわれることが懸念された。また、芳香成分を含浸させた平板状の芳香成分担持体は、その表裏の平坦面が、スピーカーユニットの振動板の振動に伴って生じる気流の向きに略直交する倒伏姿勢で縦長中空ケースの頂部に設置されるようになっていたので、芳香成分担持体に含浸されている芳香成分が気流と衝突する側の平坦面から多く拡散してしまう結果、芳香成分が芳香成分担持体の内部で偏って消費され、使用後の芳香成分担持体に未消費の芳香成分が残留しやすいということも懸念された。
【０００７】
本考案は、以上の状況に鑑みてなされたものであり、比較的重いバッテリーの重量を当該誘眠装置の設置安定性を高めることに役立てることのできる誘眠装置を提供することを目的とする。また、本考案は、芳香成分担持体の倒伏姿勢で装着することができるだけでなく、起立姿勢で装着することもできるようにし、起立姿勢で装着することによって含浸されている芳香成分が芳香成分担持体の内部で偏って消費されるという点を改善して、使用後の芳香成分担持体に未消費の芳香成分が残留しにくくなる誘眠装置を提供することを目的とする。
【課題を解決するための手段】
【０００８】
本考案に係る誘眠装置は、スピーカーユニットの振動板の振動に伴って生じる再生音を生じさせる音響再生手段と、上記振動板の振動に伴って生じる気流を利用して芳香成分担持体に含浸されている気流を空気中に拡散させる芳香拡散手段と、光源の発光によって生じる光を発する発光手段と、を備える。そして、内部空間が上段室と中段室と下段室とに３区画されてなる縦長中空ケースの上記上段室に上記スピーカーユニットが設置され、上記中段室に上記光源が設置され、かつ、上記下段室に、上記スピーカーユニットの駆動電力及び上記光源を発光させるための電力を供給するバッテリーの収納空間が具備されている。さらに、上記音響再生手段及び上記芳香拡散手段の両方が、上記上段室の上部に上向きに設置された上記スピーカーユニットと、当該上段室の上壁の複数箇所に設けられて上記スピーカーユニットの振動板の振動に伴って生じる上記再生音及び上記気流を上記縦長中空ケースの外部に放出する通口と、を有していることに加えて、さらに上記芳香拡散手段が、上記上段室の上壁に設けられて芳香成分を含浸させた平板状の芳香成分担持体を着脱可能な担持体装着部を有して、この担持体装着部に装着された上記芳香成分担持体に、上記通口を通して放出された上記気流が接触するように構成され、上記発光手段が、上記中段室に設置された上記光源と、当該中段室の底壁及び周壁に具備されて上記光源の発光によって生じる光を透過させる透光領域と、を有している、というものである。
【０００９】
この構成を有する誘眠装置によれば、音響再生手段、芳香拡散手段及び発光手段のそれぞれの作用が相乗して室内の睡眠環境が創り出され、深く穏やかな眠りをベースに心と身体のリズムが整えられる。また、縦長中空ケースの下段室をバッテリーの収納空間としたことにより、当該誘眠装置の重心位置が比較的重いバッテリーの重量によって低位置に下がる。そのため、棚面などに当該誘眠装置を載置したときの設置安定性が向上する。
【００１０】
本考案において、上記担持体装着部は、上記上壁に段付き状に設けられた座板部と、この座板部に設けられて上記芳香成分担持体に設けられた嵌合孔が着脱自在に嵌合可能な突部と、この突部に設けられて上記芳香成分担持体を起立姿勢で抜き差し可能な溝部と、を有し、複数の上記通口が、上記座板部の周囲で環状に配列されている、という構成を採用することが望ましい。これによれば、芳香成分を含浸させた平板状の芳香成分担持体を、気流の向きに対して略直交する倒伏姿勢で縦長中空ケースの頂部に設置することと、気流の向きに沿う起立姿勢で縦長中空ケースの頂部に設置することとを選択することができるので、芳香成分担持体の表面に気流を衝突させる使用態様と、芳香成分担持体の表面に沿って気流を放出させる使用体用とを選択することができ、後者の使用態様では、使用後の芳香成分担持体に未消費の芳香成分が残留しにくくなるという利点がある。
【００１１】
本考案では、上記下段室によって形成された上記収納空間が、平板状の上記芳香成分担持体を内包した平坦な担持体包装体と上記バッテリーとを重なり状態で収容可能なサイズを有してなる、という構成を採用することが可能である。これによれば、芳香成分担持体をバッテリーＢの収納空間から取り出して即座に使用することができるという利便性が生まれる。
【００１２】
本考案では、上記縦長中空ケースが、上記上段室及び上記中段室を備えたケース本体と、上記下段室を備えるバッテリーホルダー、とに分割されていて、このバッテリーホルダーに、上記ケース本体が段積み状に装着可能に構成されていることが望ましい。これによれば、ケース本体をバッテリーホルダーから取り外し、ケース本体の中段室の底壁に具備されている透光領域を通じて室内に光源の光を発することが可能になる。
【考案の効果】
【００１３】
以上のように、本考案に係る誘眠装置によれば、音響再生手段、芳香拡散手段及び発光手段のそれぞれの作用が相乗して室内の睡眠環境が創り出され、深く穏やかな眠りをベースに心と身体のリズムが整えられるだけでなく、設置安定性に優れ、しかも、芳香成分が芳香成分担持体の内部で偏って消費されるという点が改善されるという効果が奏される。
【図面の簡単な説明】
【００１４】
【図１】本考案の実施形態に係る誘眠装置の一例を示した概略斜視図である。
【図２】図１の誘眠装置の背面図である。
【図３】図１の誘眠装置の一部を拡大して示した縦断面図である。
【図４】バッテリーホルダーを説明するための概略斜視図である。
【図５】ケース本体の一部を拡大して示した正面図である。
【図６】図１の誘眠装置の他の一部を拡大して示した側面図である。
【図７】図１の誘眠装置の平面図である。
【図８】図７の矢視ＶＩＩＩ図に相応する側面図である。
【図９】芳香成分担持体を担持体装着部に起立姿勢で装着した態様を例示した平面図である。
【図１０】図９の矢視Ｘ図に相応する正面図である。
【図１１】図１０の矢視ＸＩ図に相応する側面図である。
【考案を実施するための形態】
【００１５】
図１は本考案の実施形態に係る誘眠装置の一例を示した概略斜視図、図２は図１の誘眠装置の背面図である。また、図３は図１の誘眠装置の一部を拡大して示した縦断面図、図４はバッテリーホルダーＨを説明するための概略斜視図、図５はケース本体Ｃの一部を拡大して示した正面図、図６は図１の誘眠装置の他の一部を拡大して示した側面図である。
【００１６】
図１及び図２のように、実施形態に係る誘眠装置は、円錐台形状の縦長中空ケース１００によってその外観が形作られている。図３に示したように、縦長中空ケース１００の内部空間は、上段室１１０と中段室１２０と下段室１３０とに上下方向で３区画されている。そして、中段室１２０が、背低上窄まり形状の中段周壁１２１によって囲まれた空間によって形成されていて、この中段周壁１２１の上部及び下部にそれぞれ上壁１２２及び底壁１２３が設けられている。これに対し、上段室１１０は、背高上窄まり形状の上段周壁１１１によって囲まれた空間によって形成されていると共に、その上段周壁１１１の下端に、中段上壁１２２に環状に設けられている突部１２４に対応する溝部１１４が環状に設けられていて、この溝部１１４が上記突部１２４に嵌着されていることによって、中段室１２０の中段周壁１２１に上段室１１０の上段周壁１１１が連設状に固定され、かつ、中段室１２０の上に上段室１１０が段積み状に配備された構成になっている。さらに、下段室１３０は、背低上窄まり状の下段周壁１３１によって囲まれた空間によって形成されていて、この下段周壁１３１の下部に底壁１３３が設けられている。また、中段室１２０の底壁１２３に、下段室１３０の下段周壁１３１の上端の内側に環状に設けられている段付き凹入部１３５に対応する円形の嵌合突部１２５が設けられていて、この嵌合突部１２５が上記段付き凹入部１３５に嵌脱可能に構成されている。
【００１７】
ここで、図２に示したように、縦長中空ケース１００は、上段室１１０及び中段室１２０（図３参照）を備えたケース本体Ｃと下段室１３０（図３参照）を備えるバッテリーホルダーＨとに分割されている。このことを言い換えると、ケース本体Ｃには、上段周壁１１１及びこの上段周壁の上部に設けられている上壁１１２（図１参照）と、中段周壁１２１とこの中段周壁１２１の上下部に設けられている上壁１２２及び底壁１２３（図３参照）と、が含まれる。同様に、バッテリーホルダーＨには、下段周壁１３１とこの下段周壁１３１の下部に設けられている底壁１３３（図３参照）とが含まれる。そして、図２又は図４に示したように、下段周壁１３１に、平面視矩形の偏平なバッテリーＢの挿入口１３６が後向きに開設されていると共に、下段室１３０によって形成されているバッテリーＢの収納空間Ｓには、収納したバッテリーＢの左右方向の位置ずれを防ぐ一対の立上り面１３７，１３７が対向状態で設けられている。
【００１８】
次に、図２、図３又は図６に示したように、縦長中空ケース１００の上段室１１０の上部にダイナミック型のスピーカーユニット１１が上向きに設置され、中段室１２０には、回路基板２１に搭載された複数個のＬＥＤでなる光源２２が設置されている。また、中段周壁１２１の背部に端子ユニット２３が装備されている、この端子ユニット２３にはＵＳＢコネクタ２４と音声データ入力端子２５とが設けられている。さらに、中段周壁１２１の前部には、スピーカーユニット１１の振動板の振動によって生じる再生音の音量を増減調節するためのボリュームつまみ２６のほか、上記光源２２の点灯消灯を制御するためのプッシュスイッチ２７、上記再生音の選曲切り換えボタン２８、などが装備されている。そして、図６のように、収納空間Ｓに収納したバッテリーＢの出力端子を上記ＵＳＢコネクタ２４に接続ケーブル２９を用いて接続しておくことによって、バッテリーＢからスピーカーユニット１１の駆動電力及び光源２２を発光させるための電力が供給されるようになっている。なお、光源２２の発光モードでは、一定のプログラムにしたがって発光の色や強度の変化、それらの変化のサイクルなどが演出されるようになっている。
【００１９】
図７は図１の誘眠装置の平面図、図８は図７の矢視ＶＩＩＩ図に相応する側面図である。図７に示したように、上段室１１０（図３参照）を形成している上段周壁１１１の上部に設けられている上壁１１２の中央部複数箇所には、等角度置きに配列された長孔でなる通口３１…が放射状に設けられている。これらの通口３１…は、上記したスピーカーユニット１１の振動板の振動に伴って生じる再生音及び気流を縦長中空ケース１００の外部に放出する機能を有する。また、図１、図２又は図７などに示したように、上段室１１０の上壁１１２には、その上壁１１２に段付き状に設けられた円形の座板部４１と、この座板部４１に設けられた突部４２と、この突部４２に設けられた溝部４３とを有する担持体装着部４０が設けられていて、この担持体装着部４０の座板部４１の周囲に複数の上記通口３１…が環状に配列されている。
【００２０】
上記担持体装着部４０には、芳香成分が含浸された芳香成分担持体５０を着脱可能である。図７又は図８に例示したように、芳香成分担持体５０は嵌合孔５１を有する円形円板状に形成されていて、図８の事例では、この芳香成分担持体５０の嵌合孔５１を上記担持体装着部４０の突部４２に嵌め込むことによって、芳香成分担持体５０を上記座板部４１の上に倒伏姿勢で装着している。こうして、座板部４１に芳香成分担持体５０が倒伏姿勢で装着されていると、図７に仮想線で示したように、芳香成分担持体５０の外周部が、座板部４１の外側へ張り出して上記上壁１１２の複数の通口３１…に間隔を隔てて対面する。こうして座板部４１に芳香成分担持体５０が倒伏姿勢で装着されていると、上記上壁１１２の複数の通口３１…から出た気流が芳香成分担持体５０の表面に衝突するようになる。
【００２１】
図９は芳香成分担持体５０を担持体装着部４０に起立姿勢で装着した態様を例示した平面図、図１０は図９の矢視Ｘ図に相応する正面図、図１１は図１０の矢視ＸＩ図に相応する側面図である。図９〜図１１に示したように、担持体装着部４０に対して芳香成分担持体５０を起立姿勢で装着することも可能である。すなわち、この事例では、芳香成分担持体５０を担持体装着部４０の溝部４３に差し込むことによって担持体装着部４０に起立姿勢で装着している。こうして座板部４１に芳香成分担持体５０が起立姿勢で装着されていると、上記上壁１１２の複数の通口３１…から出た気流が芳香成分担持体５０の表面に沿って流れるようになる。
【００２２】
この実施形態に係る誘眠装置は、スピーカーユニット１１の振動板の振動に伴って生じる再生音を生じさせる音響再生手段と、上記振動板の振動に伴って生じる気流を利用して芳香成分担持体５０に含浸されている気流を空気中に拡散させる芳香拡散手段と、光源２２の発光によって生じる光を発する発光手段と、を備えている。
【００２３】
そして、上記音響再生手段が、上記上段室１１０の上部に上向きに設置された上記スピーカーユニット１１と、当該上段室１１０の上壁１１２の複数箇所に設けられてスピーカーユニット１１の振動板の振動に伴って生じる再生音を縦長中空ケース１００の外部に放出する上記通口３１と、を有している。上記芳香拡散手段も同様に、上記上段室１１０の上部に上向きに設置された上記スピーカーユニット１１と、当該上段室１１０の上壁１１２の複数箇所に設けられてスピーカーユニット１１の振動板の振動に伴って生じる気流を縦長中空ケース１００の外部に放出する上記通口３１と、を有している。また、上記芳香拡散手段は、これらの要素に加えて、上記芳香成分担持体５０を着脱可能な上記担持体装着部４０を有していて、担持体装着部４０に装着された芳香成分担持体５０に、複数の通口３１…を通して放出された上記気流が接触するように構成されている。さらに、上記発光手段は、上記中段室１２０に設置された上記光源２２と、当該中段室１２０の底壁１２３及び中段周壁１２１に具備されて上記光源２２の発光によって生じる光を透過させる透光領域１２６、１２７とを有していて、図３には中段室１２０の底壁１２３に具備されている面状の透光領域１２７と中段周壁１２１に形成されている線形状の透光領域１２７とが示され、図２及び図６には中段室１２０の中段周壁１２１に具備されている線形状の透光領域１２７が示されている。
【００２４】
以上のように構成されている誘眠装置において、音響再生手段及び芳香拡散手段のスピーカーユニット１１が動作すると、スピーカーユニット１１の振動の振動に伴って生じる再生音と共に、スピーカーユニット１１の振動の振動に伴って生じる気流が複数の通口３１を経て縦長中空ケース１００の上方に放出される。このため、室内には、スピーカーユニット１１による再生音と、芳香成分担持体５０に含浸されている芳香成分とが放出され、芳香成分が周囲に拡散される。また、発光手段の光源２２が一定のプログラムにしたがって発光すると、発光の色や強度の変化、それらの変化のサイクルなどが演出される。このため、音響再生手段、芳香拡散手段及び発光手段のそれぞれの作用が相乗して室内の睡眠環境が創り出され、深く穏やかな眠りをベースに心と身体のリズムが整えられるようになる。
【００２５】
また、この実施形態では、縦長中空ケース１００の下段室１３０をバッテリーＢの収納空間Ｓとしたことにより、当該誘眠装置の重心位置が比較的重いバッテリーＢの重量によって低位置に下がる。そのため、当該誘眠装置がそのデザイン性を考慮して背高に構成されているとしても、棚面などに載置された当該誘眠装置が容易に転倒したりすることが無くなってその設置安定性が向上する。また、図４に示したように、この実施形態では、バッテリーＢの収納空間Ｓが、平板状の芳香成分担持体５０を内包した平坦な担持体包装体５２とバッテリーＢとを重なり状態で収容可能なサイズを有している。こうしておくと、芳香成分担持体５０をバッテリーＢの収納空間Ｓから取り出して使用することができるという利便性が生まれる。
【００２６】
さらにこの実施形態では、担持体装着部４０に、芳香成分を含浸させた平板状の芳香成分担持体５０を、気流の向きに対して略直交する倒伏姿勢で装着することと、気流の向きに沿う起立姿勢で装着することとを選択することができるようになっている。そして、芳香成分担持体を起立姿勢で担持体装着部４０に装着すると、気流が芳香成分担持体５０の表面に沿う方向に流れるようになり、芳香成分が芳香成分担持体の全体から満遍なく放散して使用後の芳香成分担持体に未消費の芳香成分が残留しにくくなるという利点がある。
【００２７】
さらにこの実施形態では、縦長中空ケース１００が、上段室１１０及び中段室１２０を備えたケース本体Ｃと、下段室１３０を備えるバッテリーホルダーＨとに分割されていて、バッテリーホルダーＨに、ケース本体Ｃが段積み状に装着可能に構成されている。このため、ケース本体ＣをバッテリーホルダーＨから取り外し、ケース本体Ｃの中段室１２０の底壁１２３に具備されている透光領域１２７を通じて室内に光源の光を発することも可能になる。
【００２８】
なお、図１〜図１１において、同一又は相応する要素には、説明の便宜上、同一の符号を付してある。
【符号の説明】
【００２９】
１１  スピーカーユニット
２２  光源
３１  通口
４０  担持体装着部
４１  座板部
４２  突部
４３  溝部
５０  芳香成分担持体
５１  嵌合孔
５２  担持体包装体
１００  縦長中空ケース
１１０  上段室
１２０  中段室
１２６，１２７  透光領域
１３０  下段室
Ｂ  バッテリー
Ｃ  ケース本体
Ｈ  バッテリーホルダー
Ｓ  収納空間
【図１】
0003219786.tif 000003
【図２】
0003219786.tif 000004
【図３】
0003219786.tif 000005
【図４】
0003219786.tif 000006
【図５】
0003219786.tif 000007
【図６】
0003219786.tif 000008
【図７】
0003219786.tif 000009
【図８】
0003219786.tif 000010
【図９】
0003219786.tif 000011
【図１０】
0003219786.tif 000012
【図１１】
0003219786.tif 000013